(57)【特許請求の範囲】
【請求項１】
断面直角四角形状の角筒状の形態を有し、木質材に併設される鉄又はアルミ製の構造下地材であって、
周面を構成する四面の全てに固定用孔が穿設され、該四面の内の任意の面を木質材に当接させ、該固定用孔を介してビス、釘等の固定具により、該木質材に当接固定可能になされており、
上記各固定用孔に対向する位置に、上記固定具の操作用孔が穿設されており、
上記各固定用孔が、構造下地材の長手方向の中央部を避けた位置に設けられており、該構造下地材の上記四面の内、上記木質材に当接させる面以外の面における長手方向中央部に、ボード等の壁材を外部よりビス等の固定具で直接固定可能になされていることを特徴とする構造下地材。
【請求項２】
請求項１に記載の構造下地材を、木質材に当接固定し、該構造下地材における該木質材への当接面とは異なる面にボード等の壁材を固定してなり、その厚みが２０〜９０ｍｍであることを特徴とする間仕切壁。
【請求項３】
引込み戸の袖壁であることを特徴とする請求項２に記載の間仕切壁。
【請求項４】
請求項１に記載の構造下地材を、建具の框材に内側から当接固定してあることを特徴とする建具。
【請求項５】
断面直角四角形状の角筒状の形態を有し、木質材に併設される鉄又はアルミ製の構造下地材であって、周面を構成する四面の全てに固定用孔が穿設され、該四面の内の任意の面を木質材に当接させ、該固定用孔を介してビス、釘等の固定具により、該木質材に当接固定可能になされており、上記各固定用孔に対向する位置に、上記固定具の操作用孔が穿設されている構造下地材
と組み合わせて用いる長尺状の横材であって、
上記構造下地材の上端部又は下端部に嵌合する断面コ字状の形態を有し、上記構造下地材に面する立面部に、所定の間隔で複数の切り込みが設けられており、該立面部の一部を内方に折曲することにより該構造下地材の結合位置を仮固定することができるようになっていることを特徴とする横材。
【請求項６】
請求項１に記載の構造下地材を少なくとも一対備えており、各構造下地材の上端部間および下端部間が横材により連結されてなることを特徴とする構造下地用枠体。
【発明の詳細な説明】
【０００１】
【発明の属する技術分野】
本発明は、構造下地材に関し、詳しくは、木質材に迅速且つ確実に固定でき、木造建築物における壁や天井等の反りや寸法変化を効果的に防止することのできる構造下地材、及び該構造下地材を用いた間仕切り壁、建具等に関する。
【０００２】
【従来の技術及び発明が解決しようとする課題】
従来、木造建築物においては、構造材は勿論、方立、胴縁等の壁下地材や天井下地材は全て木質材で構成されており、軽量鉄骨やコンクリート造りの建築物で用いられるような鋼製の下地材は使用されていなかった。
しかし、従来の木造建築におけるように、壁下地材や天井下地材等の構造下地材として、木質材のみを用いた場合には、壁や建具を薄い厚さで仕上げた場合、反りや寸法変化等の不都合を生じることがある。
そのため、木造建築物においても鋼製の下地材を用いることが考えられるが、資材調達や職種の複雑化、加工の困難性、木質材との接着性の悪さ等の観点から、木造建築物に鋼製の下地材を用いることは困難であった。
【０００３】
従って、本発明の目的は、木質材に迅速且つ確実に固定でき、木造建築物における壁や天井等の反りや寸法変化を効果的に防止することのできる構造下地材、該構造下地材を用いた間仕切り壁及び建具、構造下地の施工性を向上させる横材及び構造下地用枠体を提供することにある。
【０００４】
【課題を解決するための手段】
本発明者は、上記課題を解決するべく鋭意検討した結果、特定の固定用孔及び操作用孔を有する特定形態の構造下地材が上記課題を解決し得ることを知見した。
本発明は、上記知見に基づいてなされたものであり、請求項１に記載の発明は、断面直角四角形状の角筒状の形態を有し、木質材に併設される鉄又はアルミ製の構造下地材であって、周面を構成する四面の全てに固定用孔が穿設され、該四面の内の任意の面を木質材に当接させ、該固定用孔を介してビス、釘等の固定具により、該木質材に当接固定可能になされており、上記各固定用孔に対向する位置に、上記固定具の操作用孔が穿設されており、上記各固定用孔が、構造下地材の長手方向の中央部を避けた位置に設けられており、該構造下地材の上記四面の内、上記木質材に当接させる面以外の面における長手方向中央部に、ボード等の壁材を外部よりビス等の固定具で直接固定可能になされていることを特徴とする構造下地材を提供することにより、上記目的を達成したものである。
【０００６】
請求項２に記載の発明は、請求項１に記載の構造下地材を、木質材に当接固定し、該構造下地材における該木質材への当接面とは異なる面にボード等の壁材を固定してなり、その厚みが２０〜９０ｍｍであることを特徴とする間仕切壁を提供することにより、上記目的を達成したものである。
【０００７】
請求項３に記載の発明は、引込み戸の袖壁であることを特徴とする請求項２に記載の間仕切壁を提供することにより、上記目的を達成したものである。
【０００８】
請求項４に記載の発明は、請求項１に記載の構造下地材を、建具の框材に内側から当接固定してあることを特徴とする建具を提供することにより、上記目的を達成したものである。
【０００９】
請求項５に記載の発明は、断面直角四角形状の角筒状の形態を有し、木質材に併設される鉄又はアルミ製の構造下地材であって、周面を構成する四面の全てに固定用孔が穿設され、該四面の内の任意の面を木質材に当接させ、該固定用孔を介してビス、釘等の固定具により、該木質材に当接固定可能になされており、上記各固定用孔に対向する位置に、上記固定具の操作用孔が穿設されている構造下地材
と組み合わせて用いる長尺状の横材であって、
上記構造下地材の上端部又は下端部に嵌合する断面コ字状の形態を有し、上記構造下地材に面する立面部に、所定の間隔で複数の切り込みが設けられており、該立面部の一部を内方に折曲することにより該構造下地材の結合位置を仮固定することができるようになっていることを特徴とする横材を提供することにより、上記目的を達成したものである。
請求項６に記載の発明は、請求項１に記載の構造下地材を少なくとも一対備えており、各構造下地材の上端部間および下端部間が横材により連結されてなることを特徴とする構造下地用枠体を提供することにより、上記目的を達成したものである。
【００１０】
【発明の実施の形態】
以下、本発明の構造下地材、間仕切壁、建具、横材及び構造下地用枠体それぞれの好ましい実施形態について図面を参照しながら説明する。
先ず、本発明の構造下地材の一実施形態について図１〜図３を参照して説明する。ここで、図１は、本発明の構造下地材の一実施形態を模式的に示す斜視図であり、図２は、図１の構造下地材を木質材に併設した状態を示す図であり、図３は、図１の構造下地材に壁材を固定した状態を示す斜視図である。
【００１１】
本形態の構造下地材１は、図１及び図２に示されるように、角筒状の形態を有し、木質材２に併設される鉄製の構造下地材であり、上記木質材２に当接される面に固定用孔３が穿設され、該固定用孔３を介してビス、釘、ネジ等の固定具４により、該木質材２に当接固定されるようになっており、上記固定用孔３に対向する位置に、上記固定具４の操作用孔５が穿設されている。
【００１２】
本形態の構造下地材１は、普通鋼、ステンレス鋼、特殊鋼等の鉄からなる鉄製の構造下地材であり、釘、ネジ等の固定具４の頭部を係止可能な固定用孔３が、該構造下地材１の周面を構成する四面の全てに設けられている。即ち、本形態の構造下地材１においては、上記四面のいずれもが木質材２への当接面となり得る。
【００１３】
上記各固定用孔３に対向する位置には、各固定用孔３に対応させて上記固定具４を操作するための操作用孔５が穿設されており、該各操作用孔５は、対応する上記各固定用孔３よりも大径に形成されており、該操作用孔５を介して、ビス、釘、ネジ等の固定具４を固定するための操作、例えば、ビス、釘については打着、ネジについては回転等の操作を行うことができるようになっている。
上記固定具４としては、従来公知の各種の固定具を用いることができるが、迅速且つ確実な木質材への固定の観点からビス、釘又はネジ用いることが好ましい。尚、固定具４の操作の手段に特に制限はないが、例えば、ビス、釘等については当て金と金槌や、コンプレッサーによる専用打込機等が用いられ、ネジ等については、ドライバーや専用電動工具等が用いられる。
【００１４】
本形態の構造下地材１には、上記固定用孔３が、その周面を構成する四面の全てに、それぞれに複数設けられており、該四面の内の任意の面を木質材２への当接面とすることができる。そのため、本形態の構造下地材１を木質材２に固定する際に、面を選択する必要がないので木質材への迅速な固定が可能である。更に、図２に示すように隣接する二面に木質材２，２を当接させて固定することも可能である。
【００１５】
本形態の構造下地材１においては、上記各固定用孔３は、図１に示すように、それぞれ該構造下地材１の長手方向の中央部を避けた位置に設けられ、図３に示すように、該中央部に、ボード等の壁材６を外部より釘、ビス等の固定具４で直接固定できるようになっている。上記中央部とは、中心線Ｃを含む所定幅の領域であり、該中央部を避けた位置に固定用孔３を設けることにより、木質材（図示せず）への当接面（図３中、１ａ及び／又は１ｂ）とは異なる構造下地材１の面１ｃに、ボード等の壁材６を当接固定する際、該構造下地材１の上記固定用孔３の穿設位置を気にせず迅速且つ確実な固定が可能である。即ち、上記中央部には、上記固定用孔３が存在しないので、該中央部にビスや釘、ネジを打着等すれば、打着位置が上記固定用孔３に重なって固定が不十分となる等の不都合を生じない。尚、本形態の構造下地材１は、断面四角形の形態を有しているため、上記操作用孔５も上記固定用孔３と同様に構造下地材１の長手方向の中央部を避けた位置にあり、これにより壁材６を固定するためのビスや釘、ネジ等と該操作用孔５との重なりも同時に防止される。尚、上記中央部には、外部からの固定具の打ち込み等を容易にするために、刻印等の表面凹凸処理が施されていることが好ましい。
【００１６】
また、本形態の構造下地材１においては、図１に示すように、対向する一対の面における上記固定用孔３，３同士が、異なる水平面上に位置するように設けられており、上記固定用孔３と上記操作用孔５とが同一面上で横に並ぶことによる強度の低下が生じない。
【００１７】
本形態の構造下地材１は、好ましくはその周面を構成する四面の内の任意の一面、又は、図２に示すように隣接する二面が、該面に設けられた上記固定用孔３を介してビス等の固定具４により木質材２に当接固定される。尚、構造下地材１が併設される木質材２は、木造建築物における長尺材であれば特に制限されないが、例えば、柱、間柱、開口部の枠材、建具の框材、木質天井下地材等が挙げられる。
【００１８】
本形態の構造下地材１によれば、木質材に迅速且つ確実に固定でき、木造建築物における壁や天井等の反りや寸法変化を効果的に防止することが可能であると共に、上記各固定用孔３及び各操作用孔５を特定の位置に設けてあるので、高強度であり、壁材の固定性に優れる等の上述した各効果が奏される。
【００１９】
次に、本発明の間仕切壁及び建具の一実施形態について図４を参照して説明する。ここで、図４は、本発明の間仕切壁及び建具の一実施形態を示す横断面図である。
本実施形態の間仕切壁７は、図４に示すように、引込み戸の袖壁であり、上記構造下地材１を木質材２に当接固定し、該構造下地材１における該木質材１への当接面とは異なる面にボード等の壁材６を固定してなる。
【００２０】
本形態の間仕切壁７においては、一対の上記構造下地材１，１が、該間仕切壁７の両端部に配された一対の木質材２，２に、それぞれ上述のように上記固定用孔３を介してビス等の固定具（図示せず）により当接固定されている。
そして、各構造下地材１の該木質材２への当接面と異なる一対の面（該当接面に隣接する両側の面）に壁材としてのボード６，６がそれぞれビス等の固定具（図示せず）を用いて固定されている。本袖壁の厚み（上記ボード６，６の外側面間の距離）は、２０〜９０ｍｍ、より好ましくは４０〜６０ｍｍである。
【００２１】
本形態の間仕切壁７によれば、該間仕切壁７の両端部に配された一対の木質材２，２それぞれに上記構造下地材１，１が併設されているため、該木質材２，２の反りを効果的に防止することができる。これにより、例えば、引込み戸８のスムーズな開閉を長期間維持可能である。また、本形態の間仕切壁７においては、上記構造下地材１を用いているため、該構造下地材１と上記木質材２との固定、及び該構造下地材１への上記壁材６，６の固定を迅速かつ確実に行うことができ、施工性にも優れている。
【００２２】
図４に示される引込み戸８は、本発明の建具の一実施形態であり、この引込み戸８においては、上述の構造下地材１，１を一対、それぞれ該引込み戸８の框材８ａ，８ａに内側から当接固定してある。尚、本引込み戸８における特に言及しない部分の構成は、従来の引込み戸８におけるのと同様である。
【００２３】
本形態の建具８においては、該建具８の両端部に配された一対の框材８ａ，８ａそれぞれに、上記鉄製構造下地材１，１が併設されているため、建具８の反りや寸法変化の効果的に防止することができ、例えば戸の良好な開閉を長期間維持可能である。また、上記構造下地材１を用いているため、該構造下地材１と上記框材８ａ，８ａとの固定を迅速かつ確実に行うことができ、施工性にも優れている。
【００２４】
次に、本発明の横材及び構造下地用枠体の一実施形態について図５及び図６を参照して説明する。ここで、図５は、本発明の横材の一実施形態を示す斜視図であり、図６は、本発明の構造下地用枠体の一実施形態を示す正面図である。
本形態の横材９は、上記構造下地材１の上端部又は下端部に嵌合する断面コ字状且つ長尺状の鉄製の横材であって、構造下地材１に面する立面部９ａに、所定の間隔で複数の切り込み９ｂ，９ｂ・・が設けられており、該立面部９ａの一部を内方に折曲することにより該構造下地材１の結合位置を仮固定することができるようになっている。
【００２５】
本形態の横材９においては、断面四角形の上記構造下地材１における互いに対向する一対の壁面に、それぞれ立面部９ａ，９ａが当接するようになっており、その両方の立面部９ａ，９ａに、その端縁から中央部に至る複数の切り込み９ｂ，９ｂ・・が設けられている。そして、図５に示されるように、立面部９ａ，９ａそれぞれの一部９ｃを内方に折曲することにより上記構造下地材１の結合位置を仮固定し、折曲した部分９ｃを元の状態に戻すことにより該仮固定を解除することができるようになっている。
【００２６】
本形態の横材９によれば、鉛直方向に配される壁下地材や水平方向に配される天井下地材等の構造下地材１と仮固定することができるので、壁下地や天井下地の施工性を向上させることができる。例えば、該横材９と該構造下地材１を仮固定した状態での取り扱いが可能となり、該横材９と該構造下地材１とを組み合わせた構造下地用枠体１０として所定箇所に配設した後、微調整して該構造下地材１を適切な位置に配することも可能である。
【００２７】
上記構造下地用枠体１０は、本発明の構造下地用枠体の一実施形態であり、該構造下地用枠体１０は、上記構造下地材１を左右に一対備えると共に中央部に、上記固定用孔３のような固定用孔を有しない角筒状且つ鉄製の構造下地材１１を備え、各構造下地材１，１，１１の上端部間および下端部間が一対の上記横材９，９により連結されてなる。
【００２８】
本形態の構造下地用枠体１０によれば、上記構造下地材１を鉛直方向に配された木質材２に固定する際や、上記横材９を上方に固定する際などに、該構造下地材１や該横材９が枠構造により支持されるため、該構造下地材１や該横材９の被固定材への固定が容易である。また、構造下地材１が倒れたり、横材９が落下する等の危険が防止される。
【００２９】
以上、本発明の好ましい実施形態について説明したが、本発明は上記実施形態に制限されることなく本発明の趣旨を逸脱しない範囲で適宜変更が可能である。
例えば、本発明の構造下地材は、平断面形状が直角四角形状であるが、特に正方形であることが好ましい。また、構造下地材の材質は、普通鋼、ステンレス鋼、特殊鋼等の他アルミ等鉄に類似する金属であっても良い。
【００３０】
また、本発明の間仕切壁及び建具においては、上記固定用孔及び上記操作用孔を有する構造下地材が一本のみ用いられているものであっても良い。また、本発明の構造下地用枠体における上記横材は、上述の横材９に限定されず、一対の上記構造下地材間を連結できるものであれば良い。
その他各部材の形成材料や寸法等は本発明の趣旨を逸脱しない範囲内で適宜に変更することができることは言うまでもない。
【００３１】
【発明の効果】
本発明によれば、木質材に迅速且つ確実に固定でき、木造建築物における壁や天井等の反りや寸法変化を効果的に防止することのできる構造下地材、該構造下地材を用いた間仕切り壁及び建具、構造下地形の施工性を向上させる横材及び構造下地用枠体を提供することができる。
【図面の簡単な説明】
【図１】図１は、本発明の構造下地材の一実施形態を模式的に示す斜視図である。
【図２】図２は、図１の構造下地材を木質材に併設した状態を示す図である。
【図３】図３は、図１の構造下地材に壁材を固定した状態を示す斜視図である。
【図４】図４は、本発明の間仕切壁及び建具の一実施形態を示す横断面図である。
【図５】図５は、本発明の横材の一実施形態を示す斜視図である。
【図６】図６は、本発明の構造下地用枠体の一実施形態を示す正面図である。
【符号の説明】
１    構造下地材
２    木質材
３    固定用孔
４    固定具
５    操作用孔
６    壁材
７    間仕切壁（袖壁）
８    建具（引込み戸）
９    横材
１０  構造下地用枠体
【図１】
0004023894.tif 000002
【図２】
0004023894.tif 000003
【図３】
0004023894.tif 000004
【図４】
0004023894.tif 000005
【図５】
0004023894.tif 000006
【図６】
0004023894.tif 000007